【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
関節炎を治療するためのシステムであって、
ａ）関節炎の軽減を提供するための少なくとも１つの関節安定化アセンブリと、
ｂ）信号伝送素子を接続するため前記関節安定化アセンブリに、作用的に接続される少
なくとも１つの信号伝送素子係合部材と、
ｃ）前記少なくとも１つの信号伝送素子係合部材によってサポートされる少なくとも１
つの信号伝送素子と、
ｄ）前記少なくとも１つの信号伝送素子に電気的に接続され、関節炎の関節の全体的機
能を良くするための少なくとも１つの信号を発生する電子刺激ユニットと、を含み、
前記電子刺激ユニットは、相乗効果を提供するために、この関節安定化アセンブリと関
連して用いられ、その結果、この関節安定化アセンブリ又は電子刺激ユニットのいずれか
のみを使用することに対して、最適化された関節療法となる、前記システム。
【請求項２】
前記電子刺激ユニットは、下記の機能の少なくとも１つを実行する少なくとも１つの信
号を発生することを特徴とする請求項１に記載のシステム。
ａ）ＤＮＡ合成を増加させる、
ｂ）軟骨細胞分裂増殖を増加させる、
ｃ）ヒアリン軟骨を生成する、
ｄ）成熟した軟骨細胞への原種細胞の分化を加速する、
ｅ）軟骨保守と修理を提供する、
ｆ）軟骨欠損を治療する、
ｇ）プロテオグリカン合成を増加させる、
ｈ）グリコサミノグリカン（ｇｌｙｃｏｓａｍｉｎｏｎｇｌｙｃａｎ）合成を増加さ
せる、
ｉ）トランスフォーミング増殖因子β（ＴＧＦＢ）を増加させる、
ｊ）プロテオグリカン及びＴｙｐｅ  ＩＩコラーゲンの生産の責任を持つ遺伝子を活
性化させる、
ｋ）ＩＬ−１、腫瘍壊死因子、プロスタグランジン（ＰＧＥ２）及びＭＭＰ１、ＭＭ
Ｐ３、ＭＭＰ１３を含むマトリックス・メタロプロテイナーゼの生産を抑制する、
ｌ）ミトゲン（Ｍｉｔｏｇｅｎ）活性化プロテインキナーゼ（ＭＡＰＫｓ）を阻害す
る、
ｍ）インターフェロン、ＩＬ−９、及びＩＬ−６を阻害する、
ｎ）ＩＬ−１５の刺激に対する反応を抑制する。
【請求項３】
前記関節安定化アセンブリは、足、足首、膝、腰、手首、手、肘、脊椎、骨盤または肩
関節を治療するために適応し、
そして／または、前記関節安定化アセンブリは、関節と周囲の解剖学的組織に対する剛性支持体として構成されている骨関節炎ブレースを含み、
そして／または、前記関節安定化アセンブリは、関節と周囲の解剖学的組織に対する非剛性の支持体として構成されることを特徴とする請求項１に記載のシステム。
【請求項４】
前記電子刺激ユニットは、この治療の部分のために、デューティサイクルを変化させる
異なる信号を発生したり、又は全く信号を発生しないことを特徴とする請求項１に記載の
システム。
【請求項５】
前記電子刺激ユニットは、患者の要求、状態、又は属性に基づいてカスタムメイドのプ
ログラミングを提供し、
そして／または、関節の瞬時の位置に基づいて、信号を動的に変化させるため前記関節安定化アセンブリと前記電子刺激ユニットに動作的に関連している動的な信号変調システムを更に含み、
そして／または、前記関節安定化アセンブリは解剖学的組織をサポートし、関節炎を治療するために使用される粘着テープを含み、前記少なくとも１つの信号伝送素子は、ユーザに都合のいい相乗効果が達成されるように、粘着テープの一部として一体的に構成され、この粘着テープは、機械的なサポート／療法を提供し、この信号伝送素子は、刺激療法を関節に提供し、
そして／または、前記粘着テープは、ロール形、シート形又は少なくとも１つの前もってカットされた形状で提供され、
そして／または、前記粘着テープは、弾性体で形成されることを特徴とする請求項１に記載のシステム。
【請求項６】
関節炎を治療するための方法であって、
ａ）電気療法を解剖学的組織に提供すると共に、運動の範囲と解剖学的組織のサポート
の範囲を助長するために信号伝送素子と一体的に構成される粘着テープを含むタイプの関
節安定化アセンブリを選択するステップと、
ｂ）冒された解剖学的組織を流れる電気療法信号の最適量を容易にするために解剖学的
組織上の少なくとも１つの電気的接点の最適な位置を選択するステップとステップとステ
ップと
ｃ）冒された解剖学的組織を、前記選択された粘着テープでくるむステップと、を含む
、前記方法。
【請求項７】
膝ブレース・システムであって、
大腿に固定されるように適応する上部支持部材と、
下腿に固定されるように適応する下部支持部材と、
前記上部支持部材を前記下部支持部材に接続する手段と、
前記上部支持部材又は下部支持部材に取り付けられ、第１の電極の取付位置を提供す
るように構成された整合的な個別のライナーセグメントと、
前記下腿と接触するように構成された前記ライナーセグメント上に配置される第１の
電極と、
前記下腿と接触するように構成された第２の電極と、
前記第１及び第２の電極と電気的に接触し、電気物理的療法を下腿脚に提供するよう
に構成された電子刺激ユニットとを含む、前記膝ブレース・システム。
【請求項８】
前記接続手段に取り付けられ、膝をくるむように構成されるバンドを更に含み、前記第
２の電極はこのバンド上に配置され、
そして／または、前記第１の電極は、整合的な個別のライナーと一体であり、
そして／または、前記第１の電極は、着脱可能に前記整合的な個別のライナーに取り付けられ、
そして／または、前記第１の電極は、導電性ゲル材料を含み、
そして／または、前記整合的な個別のライナーは調整可能で、かつ着脱可能であり、
そして／または、前記電気物理的療法は、大腿と膝に提供され、
そして／または、前記上部支持部材又は前記下部支持部材は、電子刺激ユニットを受け入れるためのレセプタクルを含むことを特徴とする請求項７に記載のシステム。
【請求項９】
電子刺激ユニットは、前記上部支持部材又は前記下部支持部材に永久に取り付けられ、
そして／または、電子刺激ユニットは、前記上部支持部材又は前記下部支持部材に着脱可能に取り付けられ、
そして／または、前記電子刺激ユニットは、複数の電気物理的療法を提供するようにプログラムされ、選択的にこの複数の電気物理的療法の１つを提供するように構成され、
そして／または、前記ライナーセグメントは、綱を用いて前記上部支持部材又は下部支持部材に取り付けられ、
そして／または、綱を用いて前記第１のライナーセグメントに取り付けられる第２のライナーセグメントを更に含み、
そして／または、前記綱は、弾性の綱であり、
そして／または、前記綱は、弾力性のない綱であることを特徴とする請求項８に記載のシステム。
【請求項１０】
矯正器具デバイスライナー装置であって、
矯正器具デバイスの支持部材に取り付け可能な第１の面と、
解剖学的組織の一部に合致するように構成される導電体と、
上記解剖学的組織の一部とインターフェースするように構成される第２の面と、を含み
、
上記導電体と第２の面は、上記解剖学的組織の一部に電子刺激信号を伝送するように構
成され、
そして／または、複数の電気物理的療法から選択される電気刺激信号を伝送するように構成され、
そして／または、前記導電体は、太腿又は膝に合致するように構成され、
そして／または、前記装置は、前記支持部材に調整可能な仕方で取り付け可能であり、
そして／または、前記装置は、膝、太腿を含む回路の一部と電子刺激ユニットを含む、前記矯正器具デバイスライナー装置。
【請求項１１】
電子刺激装置であって、
矯正器具ブレースの支持部材に取り付けられ、かつ複数の電極と一部の解剖学的組織を
含む回路に電気物理的療法を提供するように構成される電子刺激信号発生器を含み、ある
電極は、この矯正器具ブレースの支持部材に取り付け可能な整合的な、個別のライナー上
に配置され、
そして／または、前記電子刺激信号発生器は、電気的接点を含むレセプタクルに摺動可能な挿入によって支持部材に取り付けられるように構成され、
そして／または、前記支持部材は、更に、異なる電気物理的療法を提供するように構成される複数の電子刺激信号発生器を受け入れるように構成され、
そして／または、前記電子刺激信号発生器は、ある位置で着脱可能であり、この信号発生器が取り外されているときに、この位置を覆うために化粧カバーが設けられ、
そして／または、前記電子刺激信号発生器は、前記支持部剤に一体化され、
そして／または、前記電子刺激信号発生器は、複数の電気物理的療法を提供できるようにプログラムされ、この複数の電気物理的療法の１つを選択的に提供し、
そして／または、前記解剖学的組織の部分は、大腿と膝関節を含み、
前記個別のライナーは、前記大腿に取り付けられるように構成された支持部材上に配置
され、
第２の電極は、前記矯正器具ブレースに取り付けられ、かつ前記膝を周辺でくるむよう
に構成されるバンド上に配置され、
そして／または、前記解剖学的組織の部分は、大腿と下腿を含み、
前記個別のライナーは、前記大腿に取り付けられるように構成された支持部材上に配置
され、
第２の電極は、前記下腿に取り付けられるように構成される第２の支持部材上に配置さ
れるライナー上に配置される、前記電子刺激装置。
【請求項１２】
矯正器具デバイス用の電極であって、
前記電極を前記矯正器具デバイスに取り付けることができる外表面を有する支持体層と
、
電気物理的療法による電流を受け、かつ分配するように構成される導電層と、
着用者の解剖学的組織に合致し、前記導電層から着用者の解剖学的組織に前記電流を流
すように構成されるインターフェース層と、
前記導電層に取り付けられて、前記矯正器具デバイス上に配置される電気的接点に電気
的に結合するように構成される接続部材と、を含む、前記矯正器具デバイス用の電極。
【請求項１３】
更に、予め定められた圧縮性を提供するように構成された材料層を含み、
そして／または、前記予め定められた圧縮性は、前記電極の圧縮性が、前記矯正器具デバイスの隣接した部分の圧縮性にほぼマッチするように、決定され、
そして／または、前記予め定められた圧縮性は、前記電極又は前記個別のライナーセグメントの圧縮性が、前記矯正器具デバイスの隣接した部分の圧縮性とは異なるように、決定され、
そして／または、前記接続部材は、前記導電層の一体化された突出部を含み、
そして／または、前記接続部材は、空所を有し、この空所は、前記接続部材が前記矯正器具デバイスに取り付けられる突出した電気的接点に取り付けることができるように構成され、
そして／または、前記接続部材は、前記インターフェース層からなる一体化された突出部を含み、
そして／または、少なくとも、前記支持体層の一部は、導電性であり、前記接続部材は前記支持体層の導電性の部分を含み、
そして／または、前記接続部材は、前記支持体層を介して突出している導電体を含み、
そして／または、更に、前記導電層に電気的に結合される複数の接続部材を含み、
そして／または、前記複数の接続部材は、前記導電層を通して電流を分配するように構成されることを特徴とする請求項１２に記載の電極。
【請求項１４】
矯正器具デバイス・システムであって、
関節の第１の側部の一部に固定されるように適応する第１の支持部材と、
関節の第２の側部に固定されるように適応する第２の支持部材と、
前記第１の支持部材を前記第２の支持部材に接続する手段と、
前記第１又は第２の支持部材に取り付けられ、第１の電極の取付け位置を提供するよう
に構成された整合的な個別のライナーセグメントと、
関節の近くにある第１の領域と接触するように構成された前記ライナーセグメントに上
配置される第１の電極と、
関節の近くにある第２の領域と接触するように構成された第２の電極と、
前記第１及び第２の電極と電気的に接触していて、電気物理的療法を脚に提供するよう
に構成された電子刺激ユニットと、を含み、
前記第１又は第２の電極は、
該電極を矯正器具デバイスに取り付けできるようにする外表面を有する支持体層と、
電気物理的療法による電流を受け、かつ分配するように構成された導電層と、
着用者の解剖学的組織に合致して、前記導電層から着用者の解剖学的組織に電流を通す
ように構成されるインターフェース層と、
前記導電層に取り付けられ、前記矯正器具デバイス上に配置された電気的接点に電気的に
結合するように構成された接続部材と、を含む、前記システム。
【請求項１５】
前記電極又は前記個別のライナーセグメントは、更に、予め定められた圧縮性を提供す
るように構成される材料層を含み、
そして／または、前記予め定められた圧縮性は、前記電極の圧縮性が、前記矯正器具デバイスの隣接した部分の圧縮性にほぼマッチするように、決定され、
そして／または、前記予め定められた圧縮性は、前記電極又は前記個別のライナーセグメントの圧縮性が、前記矯正器具デバイスの隣接した部分の圧縮性とは異なるように、決定され、
そして／または、前記接続部材は、前記導電層の一体化された突出部を含み、
そして／または、前記接続部材は、空所を有し、この空所は、前記接続部材が前記矯正器具デバイス又は前記個別のライナーセグメントに取り付けられる突出した電気的接点に取り付けることができるように構成され、
そして／または、前記接続部材は、前記インターフェース層からなる一体化された突出部を含み、
そして／または、少なくとも、前記支持体層の一部は、導電性であり、前記接続部材は前記支持体層の導電性の部分を含み、
そして／または、前記接続部材は、前記支持体層を介して突出している導電体を含み、
そして／または、更に、前記導電層に電気的に結合される複数の接続部材を含み、
そして／または、前記複数の接続部材は、前記導電層を通して電流を分配するように構成されることを特徴とする請求項１４に記載のシステム。